(57)【要約】      （修正有）【課題】一対の半球体の大径横骨の内周面に設けた係合爪部と係合凹部を係合して芯枠材を形成する。係合爪部と係合凹部が容易に強固に係合でき、上下、左右方向からの引っ張り力がかかっても半球体がズレ動いたり分離することのない芯枠材を用いた酒林を提供する。【解決手段】縦骨３，３…３と横骨４，５，６と周面に開口部７，７…７を設けたプラスチック製の半球体１ａ，１ｂを上下一対に配して大径横骨６，６同士を接合する。一方の大径横骨６の内周面６ａに設けた係合爪部８を係合凹部９を他方１ｂの大径横骨６の内周面６ａに設けた係合凹部９と係合爪部８に係合して中空球状の芯枠材１を形成する。周面の開口部７，７…７に束になった杉の葉２を差込む。芯枠材１の周面全体を覆い隠して杉の葉を丸く刈り揃える。【選択図】図４
0003117907.tif 000002
【実用新案登録請求の範囲】
【請求項１】
縦骨と横骨と周面に開口部を設けたプラスチック製の半球体を上下一対に配して大径横骨同士を接合させ、一方の大径横骨の内周面に設けた係合爪部と係合凹部を他方の大径横骨の内周面に設けた係合凹部と係合爪部に係合して中空球状の芯枠材を形成し、周面の開口部に束になった杉の葉を差込み、芯枠材の周面全体を覆い隠して杉の葉を丸く刈り揃えたことを特徴とする酒林。
【請求項２】
縦骨と横骨と周面に開口部を設けたプラスチック製の半球体を上下一対に配して大径横骨同士を接合させ、一方の大径横骨の内周面に設けた係合爪部と係合凹部を他方の大径横骨の内周面に設けた係合凹部と係合爪部に係合して中空球状の芯枠材を形成し、周面の開口部に束になった杉の葉を差込み、芯枠材の周面全体を覆い隠して杉の葉を丸く刈り揃えた杉玉を形成すると共に、杉玉の上方部に屋根を、下方部にお札を吊り下げたことを特徴とする酒林。
【請求項３】
芯枠材は上端部と下端部を小径の横骨により水平面に形成されている請求項１または２記載の酒林。
【請求項４】
係合爪部と係合凹部は大径横骨の内周面の前後と左右の位置に交互に設けられている請求項１〜３のいずれか１つに記載の酒林。
【考案の詳細な説明】
【技術分野】
【０００１】
本考案は、杉の葉を束ねて球状にした酒林（杉玉）に関するもので、主として、小型の酒林を作る時に用いられるプラスチック製の芯枠材に関するものである。
【背景技術】
【０００２】
従来から、造り酒屋のシンボルとして、杉の葉を束ねて球状にした酒林を軒先などに吊るし、良質の酒造りと神のご加護を願う風習がある。その酒林が緑色の真新しいものに替わると新酒ができたという合図でもあり、多くの造り酒屋などでは今でも酒林を吊るしている。
【０００３】
酒林は小サイズの２８ｃｍから標準サイズの４０ｃｍ、大サイズの６０ｃｍ、特大サイズの８０〜１００ｃｍなどがあり、吊りさげられる所のスペースなどを考量して適切な大きさのものが選らばれて吊り下げられていた。これらの比較的大きなサイズの酒林は、竹を細く割って削った材料で編み組みして籠体を作りそれを芯枠材として使用している。
【０００４】
ところが籠体を編み組みするのには専門の者しか作れないばかりか、球状の籠体を作るのには熟練者といえども難しく、製作に手間と時間がかかり多数個作れなかった。また、籠体の端部は竹材が解けないように針金などで括る作業が必要であり、縛り付けた針金が緩んだり、解けたりして籠体の籠目や籠本体の形状が変形することがあり、見栄えの良い酒林を作るのには熟練者でなければ作れないと言った問題点があった。
【０００５】
上記のような欠点を解消するものとして、プラスチックにより成形された一対の半球籠を、口縁外周に形成したフランジ同士で結合して芯部材となる球状籠にしたものが提案されている。(例えば、特許文献１参照)。
【特許文献１】実用新案登録第３０７９７１２号
【考案の開示】
【考案が解決しようとする課題】
【０００６】
しかしながら、前記特許文献１のプラスチック成形品の半球籠は、口縁外周に形成したフランジ同士を接合してフランジの４箇所に穿設した孔に固定ピンを嵌合して結合するものであり、固定ピンは別体になっており嵌合が面倒であると共に、フランジに一体に付設されてないので紛失する虞れがあり、紛失すると結合できなくなり芯部材の球状籠にならなかった。また、杉の葉を差し込む籠目が細かく区画されてあり、その面積が大きく異なることから、束になった杉の葉の差込本数が一定せず、酒林を効率的に製作できないと言った問題点があった。
【０００７】
本考案は、上記のような問題点を解決することを課題として開発されたもので、同一形状のプラスチック製半球体を一対組み合わして球状の芯枠材を形成し、その芯枠材は、係合爪部と係合凹部によって容易に係脱自在となり、係合して球状となった芯枠材は、上下、左右からの引っ張り力に対してズレ動いたり分離を起こすことなく、常に球状の形態を保持して見栄えの良い酒林を熟練者でなくても簡単に作ることができる酒林を提供するものである。
【課題を解決するための手段】
【０００８】
上記の課題を解決し、その目的を達成する手段として、本考案は、縦骨と横骨と周面に開口部を設けたプラスチック製の半球体を上下一対に配して大径横骨同士を接合させ、一方の大径横骨の内周面に設けた係合爪部と係合凹部を他方の大径横骨の内周面に設けた係合凹部と係合爪部に係合して中空球状の芯枠材を形成し、周面の開口部に束になった杉の葉を差込み、芯枠材の周面全体を覆い隠して杉の葉を丸く刈り揃えたことを特徴とする酒林を開発し、採用した。
【０００９】
また、本考案は、縦骨と横骨と周面に開口部を設けたプラスチック製の半球体を上下一対に配して大径横骨同士を接合させ、一方の大径横骨の内周面に設けた係合爪部と係合凹部を他方の大径横骨の内周面に設けた係合凹部と係合爪部に係合して中空球状の芯枠材を形成し、周面の開口部に束になった杉の葉を差込み、芯枠材の周面全体を覆い隠して杉の葉を丸く刈り揃えた杉玉を形成すると共に、杉玉の上方部に屋根を、下方部にお札を吊り下げたことを特徴とする酒林を開発し、採用した。
【００１０】
上記のように構成した酒林において、芯枠材は上端部と下端部を小径の横骨により水平面に形成されている酒林、および係合爪部と係合凹部は大径横骨の内周面の前後と左右の位置に交互に設けてある酒林を開発し、採用した。
【考案の効果】
【００１１】
同一形状のプラスチック製の半球体を一対用いて中空球状の芯枠材にしてあるから、１種類の半球体を作ればよく効率的に芯枠材を形成でき、プラスチック成形品であるから、大量生産に適し安価に供給できる。また、一対の半球体の大径横骨に設けた係合爪部と係合凹部によって強固に確実に係合するから、芯枠材に上下または左右の引っ張り力がかかっても、ズレ動いたり分離するおそれがなく正確な球状の形態を保持する。さらに、杉の葉を差し込む時、芯枠材の上下端部が水平面に形成されているから、机や台の上に置いて作業ができる。また、開口部の大きさも極端に違わないから、束になった杉の葉の差し込み本数も変ることなく熟練者でなくても酒林を容易に作ることができる。さらに、プラスチック製で芯枠材を小型化でき、これまで作られなかった小型の酒林（６〜１５ｃｍ）を作ることができる。そして、従来使用している造り酒屋の看板としてでなく、酒を取り扱っている所のシンボルとして使えると共に、各種商店や一般家庭での室内および室外のインテリア装飾品にも利用できる。
【考案を実施するための最良の形態】
【００１２】
以下に、本考案の第１実施の形態を添付図面の図１〜図９に基づいて説明すれば、本考案に係る酒林は、プラスチック製の中空球状の芯枠材１と、その芯枠材１の周面全体を覆い隠す杉の葉２で構成されている。
【００１３】
中空球状の芯枠材１は、同一形状に成形された一対の中空半球体１ａと１ｂを組み合わして形成されている。半球体１ａ，１ｂは、図３に示すように、縦方向に均等間隔で配設された８本の縦骨３，３……３と、横方向に配設された径の異なる小径横骨４、中径横骨５、大径横骨６の３本の横骨と、周面に設けられた杉の葉２を差し込む開口部７とで構成されている。
【００１４】
半球体１ａ，１ｂの大径横骨６，６の内周面にはそれぞれ係合爪部８，８と係合凹部９，９が２個ずつ前後と左右位置に交互に設けられている。係合爪部８は、図６に示すように、大径横骨内周面６ａから垂下する軸杆８ａの先端を爪部８ｂに形成してあり、一方、係合凹部９は、大径横骨内周面６ａに上部に行くにしたがって厚くなる側面視小三角状の隆起部９ａ，９ａに挟まれた凹所９ｂからなっている。
【００１５】
このように構成した本考案の第１実施の使用状態を作用、効果と共に説明すると、半球体１ａと１ｂの大径横骨６，６を接合し、その内周面６ａ，６ａに設けた係合爪部８，８と係合凹部９，９の位置を合わせ、係合軸部８ａ，８ａを凹所９ｂ，９ｂに押圧して嵌合することにより、爪部８ｃ，８ｃが横骨６の平面部および底面部と係合し、上下分離するのを規制していると共に、左右回動するのを小三角状の隆起部９ａ，９ａで規制していて、球状の芯枠材１には上下方向と左右方向に引っ張り力が働いても外れることがない。
【００１６】
そして、球状の芯枠材１の周面に形成された開口部７，７………７に、図８に示すように、根元をゴム輪１０で１０数本束ね先部が密となる杉の葉２を差込んでいき中空球状の芯枠材１を覆い隠し、杉の葉２を一定長さ刈り込むことにより球状の酒林を形成するものである。この時、杉の葉２の根元にゴム輪１０を嵌めてあるから、仮に差込まれた杉の葉が抜ける力が働いても、隣接する杉の葉同士の接触およびゴム輪１０が縦骨や横骨に圧接して抜け難くなっている。また、各開口部７の大きさが極端に変らないので、差込む杉の葉２の本数も大きく変ることがないので予め一定本数束ねた杉の葉を用いることができ製作が効率的になる。
【００１７】
つぎに、図１０に示すのは本考案の第２実施の形態を説明するもので、上記第１実施の形態とは、芯枠材１に連結紐１１を結着し、杉玉の上方部に屋根１２をつけると共に、下方にお札１３を取り付けた点のみ異なっているだけであり、上記第１実施の形態で述べた半球体１ａと１ｂを組合して中空球状の芯枠材１を形成し、その芯枠材１の周面に設けた開口部７に束になった杉の葉２を差込み、芯枠材１の全体を覆い隠して杉の葉２を丸く刈り揃えることにおいて変わりはないことから、それらの説明を省略すると共に、同一部分には同じ符号を付してある。
【００１８】
このように構成した酒林は、上記第１実施の形態と同様の作用効果を発揮すると共に、杉玉だけのものと較べて装飾効果が向上し、室内装飾品、民芸品などのお土産品として好適に使用できるものである。
【００１９】
以上、本考案の主要な実施の形態について説明したが、本考案は上記の実施の形態に限定されるものではなく、本考案の目的を達成でき、かつ考案の要旨を逸脱しない範囲内で種々設計変更が可能であり、それらも全て本考案の範囲内に包含されるものである。
【産業上の利用可能性】
【００２０】
本考案は造り酒屋のシンボルとしては勿論のこと、酒販売店、料飲店など日本酒を取り扱っている店舗でのシンボルあるいはインテリアとして利用できると共に、一般家庭での室内装飾などとしても有効的に利用できるものである。
【図面の簡単な説明】
【００２１】
【図１】本考案の芯枠材の正面図である。
【図２】芯枠材を係合する前の正面図である。
【図３】芯枠材の平面図である。
【図４】Ａ−Ａ線縦断面図である。
【図５】Ｂ−Ｂ線縦断面図である。
【図６】係合具を示す斜視図である。
【図７】係合した状態の断面図である。
【図８】杉の葉の正面図である。
【図９】杉玉の一部切欠正面図である。
【図１０】別な実施の形態を示す酒林の斜視図である。
【符号の説明】
【００２２】
１  芯枠材
２  杉の葉
３  縦骨
４  小径横骨  
５  中径横骨
６  大径横骨
７  開口部
８  係合爪部
９  係合凹部
【図１】
0003117907.tif 000003
【図２】
0003117907.tif 000004
【図３】
0003117907.tif 000005
【図４】
0003117907.tif 000006
【図５】
0003117907.tif 000007
【図６】
0003117907.tif 000008
【図７】
0003117907.tif 000009
【図８】
0003117907.tif 000010
【図９】
0003117907.tif 000011
【図１０】
0003117907.tif 000012